(57)【要約】【課題】強度の大きい接続構造を提供することによって、フレームの径を小さくしたとしても、従来の座椅子と同等の丈夫さを有する座椅子を提供することを課題とする。【解決手段】折りたたみ式座椅子フレーム（１）の揺動部（４）に使用する接続構造であって、一方のフレームの端部を平面状の舌片（２０）とし、もう一方のフレームの端部を平面状の舌片（３０）とすると共に、ストッパー（４０）によって双方の舌片（２０、３０）の平面が揺動方向と平行に接続されたことを特徴とする接続構造。及びこの接続方法を用いた座椅子【選択図】図３
2009089997.tif 000002
【特許請求の範囲】
【請求項１】
折りたたみ式座椅子フレーム（１）の揺動部（４）に使用する接続構造であって、一方のフレームの端部を平面状の舌片（２０）とし、もう一方のフレームの端部を平面状の舌片（３０）とすると共に、ストッパー（４０）によって双方の舌片（２０、３０）の平面が揺動方向と平行に接続されたことを特徴とする接続構造。
【請求項２】
フレームの内部にインナーフレーム（２１、３１）を設けたことを特徴とする請求項１記載の接続構造。
【請求項３】
請求項１又は２記載の接続構造を、座面フレーム（２）と背もたれ部フレーム（３）との接続に使用し、揺動部（４）としたことを特徴とする座椅子。
【請求項４】
請求項１又は２記載の接続構造を、肘掛フレーム（５）の接続に使用し、肘掛揺動部（６）としたことを特徴とする座椅子。
【発明の詳細な説明】
【技術分野】
【０００１】
この発明は、折りたたみ式座椅子フレームの揺動部に使用する接続構造とそれを用いた座椅子に関するものである。
【背景技術】
【０００２】
従来より、座部、背もたれ部からなる座椅子が愛用されている。高級な座椅子においては肘掛部が設けられたものもある。
【０００３】
この座椅子は、フレームより枠体が形成され、必要に応じてクッション性が付与されており、畳の部屋などでテレビを見たりする際に腰が楽であり、ゆっくりとくつろぐことができる。（例えば特許文献１）
そして、座椅子の収納性を向上させる為に、座部と背もたれ部に揺動部を設け、折り畳めるものが開発されている。肘掛も同様に揺動可能とし、折り畳める座椅子が開発されている。現代の狭い住宅事情では、収納性をさらに向上させる必要がある。そして、収納性を向上させるにはフレームの径を小さくし、薄型の折り畳み座椅子が考えられている。
【０００４】
しかしながら、従来の折り畳み可能な座椅子の座部と背もたれ部の接続構造は、接続強度がフレームの径に依存していた。
【０００５】
例えば、図５に示すような関節部材７の一端を座部フレーム２背もたれ部フレーム３内部に挿入し、固定箇所に溶接を行い、接続させるものが挙げられる。このような接続構造は溶接箇所８に負荷がかかる為、フレームの径を小さくすると、必要十分な溶接面積を確保できず、溶接箇所８に亀裂が入り、座椅子が壊れてしまうという問題があった。
【０００６】
また、溶接を用いず、関節部材７の一端を座部フレーム２背もたれ部フレーム３内部に挿入し、挿入部をかしめ加工によって固定する方法も挙げられる。この方法では、フレーム径の小さい座椅子を作成した場合、関節部材７の強度を向上させるとフレーム（座部フレーム２と背もたれ部フレーム３）の強度が下がり、フレーム（座部フレーム２と背もたれ部フレーム３）の強度を向上させると、関節部材７の強度が下がり、双方が強度を有する座椅子の作成は困難であった。なぜならば、フレーム径を小さくすると、関節部材７の肉厚９を厚くすることが困難であり、体重に耐えられる強度を確保することができなかった。
【特許文献１】特開２００４−００８４７６
【発明の開示】
【発明が解決しようとする課題】
【０００７】
そこでこの発明は、強度の大きい接続構造を提供することによって、フレームの径を小さくしたとしても、従来の座椅子と同等の丈夫さを有する座椅子を提供することを課題とする。
【課題を解決するための手段】
【０００８】
（請求項１記載の発明）
この発明の接続構造は、折りたたみ式座椅子フレーム（１）の揺動部（４）に使用する接続構造であって、一方のフレームの端部を平面状の舌片（２０）とし、もう一方のフレームの端部を平面状の舌片（３０）とすると共に、ストッパー（４０）によって双方の舌片（２０、３０）の平面が揺動方向と平行に接続されたことを特徴とする。
【０００９】
（請求項２記載の発明）
この発明の接続構造は、請求項１記載の発明に関し、フレームの内部にインナーフレームを設けたことを特徴とする。
【００１０】
（請求項３記載の発明）
この発明の座椅子は、請求項１又は２記載の接続構造を、背もたれ部フレームと座面フレームとの接続に使用し、揺動部としたことを特徴とする。
【００１１】
（請求項４記載の発明）
この発明の座椅子は、請求項１又は２記載の接続構造を、肘掛フレームの接続に使用し、肘掛揺動部としたことを特徴とする。
【発明の効果】
【００１２】
この接続構造は、強度の大きいものであり頑丈な座椅子とすることができる。接続構造によって頑丈なものとなった座椅子は、フレームの径を小さくしたとしても、従来の座椅子と同等の丈夫さを有する。
【発明を実施するための最良の形態】
【００１３】
本発明を実施するための最良の形態例について、実施例として示す各図を参照して詳細に説明する
【実施例１】
【００１４】
図１は本願発明の折りたたみ式座椅子フレームの使用状態での全体斜視図である。図２は本願発明の折りたたみ式座椅子フレームの折りたたみ状態での断面図である。図３は折りたたみ式座椅子フレームの揺動部の拡大斜視図である。図４は折りたたみ式座椅子フレームの揺動部の断面図である。図５は従来の折りたたみ式座椅子フレームの揺動部の拡大斜視図である。
【００１５】
（１−１：折りたたみ式座椅子フレーム１の基本的構成について）
折りたたみ式座椅子フレーム１は、図１に示すように、転倒防止フレーム１０と、座部フレーム２と、背もたれ部フレーム３と、座部２と背もたれ部３を揺動可能とする揺動部４からなる。
【００１６】
このような構成によって、折りたたみ式座椅子フレーム１を用いた座椅子は折り畳み可能ものとなる。折り畳んだ座椅子は、図２に示すようにＬ字状ではなくなるため、収納場所に困らないものとなる。
【００１７】
座椅子は、この折りたたみ式座椅子フレーム１にポリウレタン等の柔らかい素材を乗せ、座り心地を良くしている。
【００１８】
（１−２：折りたたみ式座椅子フレーム１の好ましい態様について）
図２に示すように、揺動部４付近の座部フレーム２内部及び背もたれ部フレーム３内部には、座部インナーフレーム２１、背もたれ部インナーフレーム３１を設けるのが好ましい。
【００１９】
揺動部４の位置は、座面フレーム２及び転倒防止フレーム１０近傍（床から鉛直上方に約６０ｍｍ）が好ましい。このような位置に揺動部４を設けると、薄手のポリウレタン等の柔らかい素材を座椅子フレーム１に設けたとしても図２に示す如く、背もたれ部フレーム３を水平に折りたたむことが出来、折りたたみ時の収納が容易なものとなる。
【００２０】
（２−１：揺動部４の接続構造について）
揺動部４の接続構造は、図３に示すように、座部舌片２０と背もたれ部舌片３０との間にワッシャ４１を介在させ、ストッパー４０を被せ、軸４２によって貫通する態様で固定されている。
【００２１】
座部舌片２０は、座部フレーム２の端部を左右からプレス成形し、平面状にし、軸４２の挿通孔を形成したものである。前記プレス成形は、座部舌片２０の平面が背もたれ部フレーム３の揺動方向と平行になるように成形されている。
【００２２】
背もたれ部舌片３０も同様に、背もたれ部フレーム３の端部を左右からプレス成形し、平面状にし、軸４２の挿通孔を形成したものである。前記プレス成形は、背もたれ部舌片３０の平面が背もたれ部フレーム３の揺動方向と平行になるように成形されている。
【００２３】
ストッパー４０は断面略コの字状であり、軸４２を挿通させることによって、座部フレーム２と背もたれ部フレーム３が定められた位置以上に動かないようにしている。
【００２４】
軸４２は、ストッパー４０側面、背もたれ部舌片３０、ワッシャ４１、座部舌片２０、ストッパー４０側面の順で挿通している。軸４２の両端は径が拡がるように加工され、抜け止め状態となっている。軸４２の抜け止め状態は、端部を潰す加工を行っても良いし、ボルト・ナットを用いても良い。
【００２５】
（２−２：揺動部４の好ましい態様について）
図４に示すように、座部舌片２０と背もたれ部舌片３０の双方に、舌片凸部４３を成形し、ワッシャ４１を介在させない揺動部４とすることもできる。舌片凸部４３は、座部舌片２０と背もたれ部舌片３０が向かい合う方向に成形されており、成形方法はプレス成形等が挙げられる。プレス成形は、前述した座部舌片２０及び背もたれ部舌片３０の平面成形のプレス成形と同時に行うことができる。
【００２６】
ワッシャ４１を介在させない揺動部４であると、部品点数が少なくすることが可能となり、座部フレーム２と背もたれ部フレーム３を組み立てる作業を簡単なものとすることができる。
【００２７】
また、舌片凸部４３を成形すると、ストッパー４０内に空間が形成され、座部舌片２０と背もたれ部舌片３０の双方が弾性を有する（撓むことができる）態様となり、軸２４の固定を強固に行った（例えばボルト・ナットを大きいトルクで締めた）としても、座部フレーム２と背もたれ部フレーム３が揺動可能なものとなる。
【００２８】
（２−３：プレス方向と揺動方向による強度向上について）
２−１で述べた通り、この折りたたみ式座椅子フレーム１は、座部舌片３０と背もたれ部舌片４０の、双方の舌片の平面がストッパー４０によって平行に接続されており、前記平行接続が揺動方向となるものである。
【００２９】
したがって、座部フレーム２と背もたれ部フレーム３の、揺動方向への断面係数が向上し、背もたれへの荷重が大きいものとなったとしても、揺動部４が破損しないものとなる。
【００３０】
（２−４：従来技術との比較）
従来の折りたたみ式座椅子フレームは図５に示すように、関節部材７の一端を座面フレーム２に挿入し、もう一端を背もたれ部フレーム３に挿入し、固定箇所に溶接を行い、接続させているものであった。このような接続構造は溶接箇所８に負荷がかかる為、フレームの径を小さくすると、溶接箇所８に亀裂が入り、座椅子が壊れてしまうという問題があった。
【００３１】
（３−１：本願発明が有する効果について）
本願発明においては、揺動部３付近に溶接箇所を必要とせず、一体的に形成された揺動部３となる。このことから、溶接箇所の面積を確保する為に太いパイプフレーム（現在、一般的に使用されている座椅子用のパイプフレームはφ１９．１ｍｍ）を使用する必要はなく、細いパイプフレーム（例えば、φ１５．９ｍｍ）を使用したとしても、使用に耐える強度を得ることができる。
【００３２】
そして、細いパイプフレームを使用すると、座椅子を折り畳んだ時の収納性を向上させることができる。
【００３３】
（３−２：インナーフレームによる強度向上について）
この折りたたみ式座椅子フレーム１は、座部舌片２０付近に座部インナーフレーム２１、背もたれ部舌片３０付近に背もたれ部インナーフレーム３１を設けることができる。
【００３４】
舌片（座部舌片２０、背もたれ部舌片３０）は外側のフレーム（座部フレーム２、背もたれ部フレーム３）とインナーフレーム（座部インナーフレーム２１、背もたれ部インナーフレーム３１）を同時にプレス成形するのが好ましい。
【００３５】
インナーフレーム２１、３１を設けることによって、さらに揺動部４の強度を向上させ、座椅子を丈夫なものとすることができる。
【００３６】
また、座部インナーフレーム２１を長いものとし、座面付近にまで挿入することによって、座部フレーム２の曲部２２の強度をも向上させることができる。
【００３７】
図５に示すような従来の折りたたみ式座椅子フレームでは、関節部材７によって、外側のフレーム（座部フレーム２、背もたれ部フレーム３）の空洞が塞がれている為、インナーフレーム２１、３１を設けることはできず、強度を向上させることはできない。
【００３８】
（３−３：接続構造の肘掛への応用について）
図６は、肘掛フレームを有する折りたたみ式座椅子フレームである。
【００３９】
座面フレーム２と背もたれ部フレーム３の揺動部４に用いた接続機構を、肘掛フレーム５に使用することもできる。
【００４０】
肘掛フレーム５の接続機構として用いた、肘掛揺動部６においても、前述の揺動部４と同様の効果を有するものである。
【図面の簡単な説明】
【００４１】
【図１】本願発明の折りたたみ式座椅子フレームの全体斜視図である。
【図２】本願発明の折りたたみ式座椅子フレームの折りたたみ状態での断面図である。
【図３】折りたたみ式座椅子フレームの揺動部の拡大斜視図である。
【図４】折りたたみ式座椅子フレームの揺動部の断面図である。
【図５】従来の折りたたみ式座椅子フレームの揺動部の拡大斜視図である。
【図６】肘掛フレームを有する折りたたみ式座椅子フレームである
【符号の説明】
【００４２】
１    折りたたみ式座椅子フレーム
１０  転倒防止フレーム
２    座部フレーム
２０  座部舌片
２１  座部インナーフレーム
２２  曲部
３    背もたれ部フレーム
３０  背もたれ部舌片
３１  背もたれ部インナーフレーム
４    揺動部
４０  ストッパー
４１  ワッシャ
４２  軸
４３  舌片凸部
５    肘掛
６    肘掛揺動部
７    関節部材
８    溶接箇所
【図１】
2009089997.tif 000003
【図２】
2009089997.tif 000004
【図３】
2009089997.tif 000005
【図４】
2009089997.tif 000006
【図５】
2009089997.tif 000007
【図６】
2009089997.tif 000008